(57)【要約】【課題】  被検者への負担を軽減し、スムーズな検査を行うことができる眼科装置を提供する。【解決手段】  被検眼を検査する測定部を持ち、該測定部の上下移動の微調節が可能な眼科装置において、被検者の顎を載せるための顎受け台と、該顎受け台を電動駆動により上下移動させる移動手段と、被検者と眼科装置との距離を測定する測距センサと、該測距センサにより測定された距離に基づいて前記移動手段による前記顎受け台の移動速度を変化させる速度可変手段と、を設けた【選択図】      図１
2005211351.tif 000002
【特許請求の範囲】
【請求項１】
被検眼を検査する測定部を持ち、該測定部の上下移動の微調節が可能な眼科装置において、被検者の顎を載せるための顎受け台と、該顎受け台を電動駆動により上下移動させる移動手段と、被検者と眼科装置との距離を測定する測距センサと、該測距センサにより測定された距離に基づいて前記移動手段による前記顎受け台の移動速度を変化させる速度可変手段と、を設けたことを特徴とする眼科装置。
【請求項２】
請求項１の速度可変手段は、前記測距センサにより測定された距離が予め設定された所定距離以下である時に前記顎受け台を低速度とし、測定された距離が前記所定距離より離れているときに前記低速度より速い速度に変化させることを特徴とする眼科装置。
【請求項３】
請求項１の眼科装置において、前記顎受け台を上下動させる上下動信号を入力する移動信号入力手段と、前記顎受け台を所定の初期位置に復帰させる復帰信号を入力する復帰信号入力手段とを備え、前記速度可変手段は、前記上下動信号が入力されたときであって、前記測距センサにより測定された測定距離が予め設定された第１所定距離以下のときには前記顎受け台を低速の第１速度とし、測定距離が前記第１所定距離よりも離れているときには前記第１速度より速い第２速度に変化させ、前記復帰信号が入力されたときであって、測定距離が前記第１所定距離以上で設定された第２所定距離よりもさらに離れているときには前記第２速度よりも速い第３速度に変化させることを特徴とする眼科装置。
．
【発明の詳細な説明】
【技術分野】
【０００１】
本発明は、被検眼を検査ないし測定する眼科装置に関する。
【背景技術】
【０００２】
従来から、眼科装置が持つ測定部（検査ないし測定する検査光学系が配置された測定部）と被検眼との位置合わせを行う際には、被検者の顔の大きさに個人差があるため、被検者の顎を載せるための顎受け台を上下動させることにより高さ調節を行っていた。顎受け台の上下動に関しては、装置に設けられたＵＰ／ＤＯＷＮスイッチを検者が操作することにより、顎受け台を電動駆動により上下動させる構成の眼科装置が知られている（特許文献１参照）。
【０００３】
また、被検者の顎の接離を検出するタッチセンサを顎受け台に設け、タッチセンサが被検者の顎を検知したことによって顎受け台の微調節を可能にする眼科装置が提案されている（特許文献２参照）。
【特許文献１】特開平１１−２７６４３６号公報
【特許文献２】特開平６−１４８８９号公報
【発明の開示】
【発明が解決しようとする課題】
【０００４】
上記特許文献１のようにＵＰ／ＤＯＷＮスイッチを操作して顎受け台を電動駆動させる場合、被検者が顎を顎受け台に載せた状態でも被検者が驚いたりせずに、また、被検者に負担を与えないように、顎受け台の移動速度は遅めに設定されている。しかし、顎受け台の移動速度が遅く設定されていると、顔の大きさに差のある被検者を検査する場合には、顎受けの高さ調節を行う時間が長くなり、検査時間の長期化の原因となる。
【０００５】
一方、上記特許文献２においては、被検者の顎が顎受け台に接触していなければ、タッチセンサは顎を検知できない。このため、被検者の顔が顎受け台の近くにあっても、タッチセンサはそれを検知することができず、速い顎受け台の移動によって被検者が驚いてしまう恐れがある。また、被検者は、顎受け台の上下動によって顎受け台から顎を離してしまうことが往々にしてある。この場合には、微調節が行えない。
【０００６】
本発明は、上記問題点を鑑み、被検者への負担を軽減し、スムーズな検査を行うことができる眼科装置を提供することを技術課題とする。
【課題を解決するための手段】
【０００７】
（１）  被検眼を検査する測定部を持ち、該測定部の上下移動の微調節が可能な眼科装置において、被検者の顎を載せるための顎受け台と、該顎受け台を電動駆動により上下移動させる移動手段と、被検者と眼科装置との距離を測定する測距センサと、該測距センサにより測定された距離に基づいて前記移動手段による前記顎受け台の移動速度を変化させる速度可変手段と、を設けたことを特徴とする。
（２）  （１）の速度可変手段は、前記測距センサにより測定された距離が予め設定された所定距離以下である時に前記顎受け台を低速度とし、測定された距離が前記所定距離より離れているときに前記低速度より速い速度に変化させることを特徴とする。
（３）  （１）の眼科装置において、前記顎受け台を上下動させる上下動信号を入力する移動信号入力手段と、前記顎受け台を所定の初期位置に復帰させる復帰信号を入力する復帰信号入力手段とを備え、前記速度可変手段は、前記上下動信号が入力されたときであって、前記測距センサにより測定された測定距離が予め設定された第１所定距離以下のときには前記顎受け台を低速の第１速度とし、測定距離が前記第１所定距離よりも離れているときには前記第１速度より速い第２速度に変化させ、前記復帰信号が入力されたときであって、測定距離が前記第１所定距離以上で設定された第２所定距離よりもさらに離れているときには前記第２速度よりも速い第３速度に変化させることを特徴とする。
【発明の効果】
【０００８】
本発明によれば、被検者への負担を軽減し、スムーズな検査が可能になる。
【発明を実施するための最良の形態】
【０００９】
以下、本発明の実施の形態を図面に基づいて説明する。図１は、本発明に係る眼科装置の側面外観概略図であり、図２は眼科装置を被検者側より見た図である。
【００１０】
眼科装置１は、架台１００のテーブル１０１上に搭載されている。眼科装置１の基台１ａには、被検者の顔を固定する顔支持ユニット２のＬ字状の支基２０が固定されている。支基２０には被検者の顎を載せる顎受け台３０が上下移動可能に設けられている。顎受け台３０は駆動機構により上下移動する。また、支基２０の下部には、被検者との距離を測定するための測距センサ１０が被検者側に向けて設けられている。測距センサ１０は、発光部１０ａ及び受光部１０ａにより構成されており、発光部１０ａより出射される赤外光の反射光を受光部１０ｂにて検出することにより、被検者との距離を測定する。測距センサ１０は超音波センサとしても良い。なお、顎受け台３０と被検者との距離を測定する上では、測距センサ１０は被検者と対向する側で顎受け台３０又はその近傍に設けることが好ましい。支基２０の上部には額当てを支える支柱３３が立設されており、その支柱３３にはアイレベルマー３４が設けられている。アイレベルマーク３４は、検査時における被検眼の高さの目安とするために使用される。
【００１１】
３は基台１に取り付けられた本体部、５は検査光学系５ａが収納された測定部である。測定部５は、移動部１３０により被検眼に対してＸＹＺの三次元方向にそれぞれ移動可能に、本体部３に搭載されている。検査光学系５ａは、例えば、眼屈折力測定光学系であるが、眼圧測定光学系や眼底を撮影する撮影光学系等であっても良い。検査光学系５ａについては、本発明との関連が薄いので、その説明は省略する。
【００１２】
４は検者がアライメントを行う場合に使用するジョイスティックであり、このジョイスティック４を前後左右に倒すことにより、測定部５は前後左右方向に移動される。また、ジョイスティック４の回転ノブ４ａを回転操作することにより測定部５は上下方向に移動される。顎受け台３０の上下動により被検眼の高さがアイレベルマーク３４付近に粗く調整できれば、被検眼に対する検査光学系５ａの位置合わせの微調整は、移動部１３０による測定部５の移動で可能である。本体部３の検者側にはモニタ７、検査結果を印刷するプリンタを駆動させるプリントボタン等を持つスイッチ部８が設けられている。さらに、検者が顎受け台３０を電動駆動で上下動させる時に使用する上下動スイッチ９が設けられている。
【００１３】
図３は顎受け台３０の上下移動機構を示す概略断面図である。支基２０には送りネジ２１が立設されており、これに螺合する雌ネジを持つ支柱２３が支基２０にガイドされて上下に移動可能に取り付けられている。支柱２３の上に顎受け台３０が固定されている。送りネジ２１の下方にはギヤ２２が設けられており、このギヤ２２にモータ２４側のギヤと噛み合っている。また、支柱２３には溝２５があり、この溝２５と回転止め用のビス２６により支柱２３が回転するのを防止している。モータ２４の回転により送りネジ２１が回転し、これによって支柱２３と共に顎受け台３０が上下移動する。支柱２３の下方には遮光板２７が取り付けられており、支基２０側には遮光板２７を検知するフォトセンサ２８ａ、２８ｂ、２８ｃが設けられている。フォトセンサ２８ａは、遮光板２７を検知することにより、顎受け台３０が下限に下がったことを検知する。また、フォトセンサ２８ｂは、遮光板２７を検知することにより、顎受け台３０が初期位置に復帰したことを検知する。また、フォトセンサ２８ｃは、遮光板２７を検知することにより、顎受け台３０が上限に上がったことを検知する。
【００１４】
図４は、本装置に関する制御系の構成プロック図である。６０は制御部であり、測定部５に収納された検査光学系５ａ、測距センサ１０、モニタ７、ジョイスティック４、上下動スイッチ９、モータ２４、及び測定部５をＸＹＺ方向にそれぞれ移動するための移動部１３０が接続されている。制御部６０は、測距センサ１０で測定される被検者との距離に応じて顎受け台３０の移動速度を変えるように、モータ２４を制御する。
【００１５】
また、制御部６０にはフォトセンサ２８ａ、２８ｂ、２８ｃが接続されている。初期動作時には、制御部６０は顎受け台３０を下方向に移動させ、フォトセンサ２８ａにより顎受け台３０が下限に下がったことを検知した後、これを原点位置としてモータ２４を駆動する。顎受け台３０の初期位置は、標準的な大きさの顔の被検者が顎受け台３０に顎を載せたときに、被検眼の高さがアイレベルマーク３４の高さ付近になる位置である。
【００１６】
以上のような構成を備える眼科装置において、その動作について図１及び図５を用いて説明する。図５は、被検者が顎受け台３０に顎を載せた状態又は顎を顎受け台３０付近に位置させた状態を示す図である。また、図１は、被検者が顎受け台３０に顎を近づける前の状態を示しいる。
【００１７】
新たな被検者の検査において、顎受け台３０が初期位置又は前の被検者に調節された高さにあり、これに対して被検者の顔が比較的大きかったり、小さかったりする場合、検者は上下動スイッチ９を操作して、顎受け台３０の高さを調節する。この時、被検者が眼科装置１から１０ｃｍよりも離れていることが測距センサ１０により検知されていれば、制御部６０は、顎受け台３０を比較的速い速度Ｖ1（後述する低速Ｖ0よりも速い速度）で移動させるようにモータ２４を駆動制御する。これにより、図１のように被検者が顎受け台３０に顎を近づける前の状態においては、顎受け台３０の高さの粗調節を迅速に行うことができる。なお、速度Ｖ1で顎受け台３０を移動させる条件とした距離１０ｃｍは、被検者が眼科装置１に接近し過ぎているか否かを判定する例に過ぎず、これに限られるものではない。
【００１８】
被検者が顎受け台３０に顎を載せると、図５のように、被検者の体は前かがみの状態で装置１に近づく。この状態になると、測距センサ１０から被検者までの距離が１０ｃｍ以下として検知される。ここで、さらに、顎受け台３０の高さ調節が必要であれば、検者は上下動スイッチ９を操作する。このとき、測距センサ１０の検知距離が１０ｃｍ以下であれば、制御部６０は顎受け台３０を被検者に負担を掛けたり、恐怖感を与えたりしない低速Ｖ0で移動させる。ここで、被検者が顎を載せた状態で顎受け台３０が移動すると、被検者は顎受け台３０から顎を僅かに離してしまうことがある。この場合でも、被検者が顎受け台３０の近くに居ることが測距センサ１０により検知されており、顎受け台３０の移動速度は低速Ｖ0のままであるので、被検者を驚かしたり、負担を与えることを軽減して、スムーズな検査を行える。
【００１９】
なお、図１のように、被検者が顎受け台３０に顎を近づける前の状態において、顎受け台３０が比較的速い速度Ｖ1の移動中に被検者が装置に接近し過ぎれば、測距センサ１０での検出が１０ｃｍ以下となるので、顎受け台３０の移動速度は低速Ｖ0に変えられる。このため、速い速度で移動する顎受け台３０に接触する可能性が軽減される。
【００２０】
被検眼の高さがアイレベルマーク３４の付近に調節されれば、検者は測定部５をジョイスティック４の操作により測定部５を移動させ、精密なアライメントを完了させた後に検査光学系５ａによる検査を実行する。検査終了後、スイッチ部８のプリントボタンが押されると、検査結果が用紙に印刷される。同時に、このボタンの入力信号をトリガ信号（顎受け台３０を初期位置に復帰させる復帰信号）として、制御部６０はモータ２４を駆動し、顎受け台３０を初期位置に復帰させる。この時、検査を終えた被検者が測距センサ１０から４０ｃｍより離れると、制御部６０は顎受け台３０を前述の比較的速い速度Ｖ1より更に速い速度Ｖ2で移動させる。これにより、次の被検者の準備が迅速に行え、特に多数の被検者を連続的に検査する集団検診等においては、よりスムーズな検査を行える。なお、この距離４０ｃｍは、被検者が装置から離れたことを判断する距離の例に過ぎず、速度Ｖ1とＶ0の切換条件とした距離１０ｃｍより離れた距離であれば良い。
【００２１】
また、被検者との距離が４０ｃｍより近くであれば、プリントボタンによる復帰信号が入力されても、制御部６０は顎受け台３０を移動させないままとする。この場合でも、被検者を驚かすようなモータの駆動音の発生がなければ、先の速い速度Ｖ1にて顎受け台３０を移動させても良い。
【図面の簡単な説明】
【００２２】
【図１】本発明に係る眼科装置の側面外観概略図である。
【図２】本発明に係る眼科装置を被検者側より見た図である。
【図３】顎受け台の上下移動機構を示す概略断面図である。
【図４】本装置に関する制御系の構成プロック図である。
【図５】被検者が顎受け台に顎を載せた状態又は顎を顎受け台付近に位置させた状態を示す図である。
【符号の説明】
【００２３】
５  測定部
１０  測距センサ
２４  モータ
３０  顎受け台
３４  アイレベルマーク
６０  制御部
１３０  移動部
【図１】
2005211351.tif 000003
【図２】
2005211351.tif 000004
【図３】
2005211351.tif 000005
【図４】
2005211351.tif 000006
【図５】
2005211351.tif 000007